(57)【特許請求の範囲】
【請求項１】
各々が挿通穴を有する内外二つの保持片及び両側の二辺を備えた四角筒状であり、トーションリング部の両端から開脚状に係止脚が延び出したトーションバネの前記トーションリング部を軸方向の両側から挟んで前記トーションバネの位置決めをする保持構造を化粧パネルの背面の対向する二ヶ所に有し、
挿通部と、該挿通部の一端に形成された大径部と、前記挿通部の他端近傍に該挿通部から拡径方向に突出した抜け止め構造部とを有する支持ピンを、外側の前記保持片の前記挿通穴から前記内外二つの保持片間に横挿して前記トーションリング部に挿通させて前記内側の保持片に係合させることによって、前記係止脚が前記背面に突出するように前記トーションバネが前記保持構造に保持され、
前記係止脚が前記背面に突出するように前記トーションバネが前記保持構造に保持された状態で換気扇本体の通風口に前記保持構造が挿入されて、前記トーションバネによって前記換気扇本体に吊り支持される給排気用の化粧パネルであって、
内側の前記保持片は、前記外側の保持片と反対側の面に形成され、前記内側の保持片の前記挿通穴から前記支持ピンを前記内外二つの保持片間に横挿した際に前記大径部と接触して、前記外側の保持片に前記抜け止め構造部が係合することを妨げる高さを有する突起を備えることを特徴とする化粧パネル。
【請求項２】
前記突起の高さは、前記挿通部の先端から前記抜け止め構造部までの距離以上であることを特徴とする請求項１に記載の化粧パネル。
【請求項３】
前記挿通穴の中心と前記突起との距離は、前記大径部の中心から該大径部の外周までの距離よりも小さいことを特徴とする請求項１又は２に記載の化粧パネル。
【請求項４】
前記突起は、前記挿通穴を挟んで複数本設けられており、
前記挿通穴の両脇に設けられた前記突起同士の間隔は、前記大径部の最小幅よりも小さいことを特徴とする請求項３に記載の化粧パネル。
【請求項５】
前記保持構造部を、前記背面の対向する二ヶ所と、該二ヶ所の中間点を中心点として９０度回転させた位置に対応する各箇所とに設けたことを特徴とする請求項１から４のいずれか１項に記載の化粧パネル。
【請求項６】
前記突起がリブ状であることを特徴とする請求項１から５のいずれか１項に記載の化粧パネル。
【請求項７】
請求項１から６のいずれか１項に記載の化粧パネルが室内側の通気口に装着されたことを特徴とする換気扇。
【発明の詳細な説明】
【技術分野】
【０００１】
本発明は、給排気用の化粧パネル及びこれを備えた換気扇に関する。
【背景技術】
【０００２】
換気扇の中には、建物の天井に取り付けられ、ダクトを通して排気や給気を行うものがある。この種の換気扇には、室内側に実質的な給・排気部分を構成する給排気用の化粧パネルが備えられている。化粧パネルは、トーションリング部の両端から開脚状に係止脚が延び出したトーションバネで換気扇の本体に吊り支持されている。
【０００３】
この種の従来技術としては特許文献１に示されたものがある。
【０００４】
換気扇本体に固定するために化粧パネルのトーションバネは支持ピンで固定されているが、支持ピンは外側、内側のどちらからでも挿入できるようになっている。化粧パネル組立時や意匠性を考慮して支持ピンの取付位置を変更する際、外側から支持ピンを挿入すれば、支持ピン先端は内側にくるため、換気扇本体に化粧パネルを取り付けられる。
【先行技術文献】
【特許文献】
【０００５】
【特許文献１】特許第４５５４２４６号公報
【発明の概要】
【発明が解決しようとする課題】
【０００６】
しかしながら、誤挿入により内側から挿入した場合、支持ピン先端は外側にくるため、換気扇本体に化粧パネルを取り付ける際、本体側面と支持ピン先端とが干渉して化粧パネルが付かなくなるという問題があった。
【０００７】
本発明は、上記に鑑みてなされたものであって、誤った向きで支持ピンを取り付けることのできない化粧パネル及びこれを備えた換気扇を得ることを目的とする。
【課題を解決するための手段】
【０００８】
上述した課題を解決し、目的を達成するために、本発明は、各々が挿通穴を有する内外二つの保持片及び両側の二辺を備えた四角筒状であり、トーションリング部の両端から開脚状に係止脚が延び出したトーションバネのトーションリング部を軸方向の両側から挟んでトーションバネの位置決めをする保持構造を化粧パネルの背面の対向する二ヶ所に有し、挿通部と、挿通部の一端に形成された大径部とを有する支持ピンを、外側の保持片の挿通穴から内外二つの保持片間に横挿してトーションリング部に挿通させて保持構造に固定することによって、係止脚が背面に突出するようにトーションバネが保持構造に保持され、係止脚が背面に突出するようにトーションバネが保持構造に保持された状態で換気扇本体の通風口に保持構造が挿入されて、トーションバネによって換気扇本体に吊り支持される給排気用の化粧パネルであって、内側の保持片は、外側の保持片と反対側の面に形成され、内側の保持片の挿通穴から支持ピンを内外二つの保持片間に横挿した際に大径部と接触して、保持構造を通風口へ挿入する時に挿通部の先端が通風口に干渉することを妨げる突起を備えることを特徴とする。
【発明の効果】
【０００９】
本発明によれば、化粧パネルの支持ピンの誤挿入を防止でき、換気扇本体に確実に化粧パネルを取り付けられるという効果を奏する。
【図面の簡単な説明】
【００１０】
【図１】図１は、換気扇の分解斜視図である。
【図２】図２は、化粧パネルの背面図である。
【図３】図３は、化粧パネルの側面図である。
【図４】図４は、化粧パネルの背面図である。
【図５】図５は、化粧パネルの部分斜視図である。
【図６】図６は、化粧パネルの部分斜視図である。
【図７】図７は、支持ピンの斜視図である。
【図８】図８は、支持ピンを保持構造に取り付けた状態を示す図である。
【図９】図９は、化粧パネルの背面図である。
【発明を実施するための形態】
【００１１】
以下に、本発明にかかる化粧パネル及び換気扇の実施の形態を図面に基づいて詳細に説明する。なお、この実施の形態によりこの発明が限定されるものではない。
【００１２】
実施の形態．
図１は、本発明にかかる化粧パネルの実施の形態の構成を示す図である。図１は、換気扇の分解斜視図である、図２、図４及び図９は、化粧パネルの背面図である。図３は、化粧パネルの側面図である。図５、図６は、化粧パネルの部分斜視図である。図２、図５はトーションバネを倒伏させた状態を示し、図４、図６はトーションバネを起立させた状態を示している。図７は、支持ピンの斜視図である。換気扇３０は、本体１の大半が天井裏空間に臨むように建物の天井構造に取り付けられ、吸い込んだ室内の空気をダクトを介して室外へ排気する装置である。換気扇３０は、建物の天井構造に沿う室内側が吸込口２として開口した箱形の本体１と、本体１の吸込口２側に天井面に沿って装着される化粧パネル３と、本体１の一側に係脱可能に装着されるダクト接続枠４とを備えて構成されている。
【００１３】
本体１内には、吸込口２からダクト接続枠４に向かう排気流を形成する送風機５が組み込まれている。また、吸込口２の口縁には外向きに張り出す取付フランジ２ａが形成されており、取付フランジ２ａを介して本体１が建物の天井構造に取り付けられる。本体１の一側面には、吹出口を備えた接続部６が形成され、上下方向の操作によってダクト接続枠４を係脱させ得るようになっている。
【００１４】
化粧パネル３は樹脂製であり、図２や図４に示すように十文字の格子部７を周囲を除いて備えたグリルで構成され、背面の対向位置に設けられた二つのトーションバネ８によって換気性の本体１に吊り支持される。化粧パネル３の前面と背面は格子部７によって連通している。
【００１５】
トーションバネ８は、トーションリング部９の両端から開脚状に２本の係止脚１０が延び出した形状である。化粧パネル３は、トーションバネ８の２本の係止脚１０によって本体１に設けられた係止部１１に弾性的に吊り支持される。トーションバネ８は、化粧パネル３の背面の格子部７上に一体成形された四角筒状の保持構造１２に位置決めされて支持ピン１３によって取り付けられている。保持構造１２は、内外の長めの二辺と両側の短い二辺１４とからなり、長い外側の一辺はトーションバネ８を起立状態に保持する保持片１５として化粧パネル３の周囲に背面に突出する立ち上がり１６よりも高く形成されている（図２参照）。内側の一辺はその中央が凸状に突出し、トーションバネ８のトーションリング部９が通る幅と高さを持つ保持片１７が形成されており、トーションバネ８を内側に倒伏させることができるようになっている（図５参照）。保持片１７は、凸状で強度が低下するため、補強用にリブ２２が２本形成されている（図５、図６参照）。
【００１６】
トーションバネ８のトーションリング部９は、軸方向において両側から挟むように二つの保持片１５、１７によって保持される。そして、樹脂製の支持ピン１３が外側の保持片１５の挿通穴１９ａから差し込まれ、トーションリング部９を通して内側の保持片１７の挿通穴１９ｂに差し込まれ、抜け止め構造２１が保持片１７の挿通穴１９ｂに引っ掛けてトーションバネ８が組み付けられている。トーションバネ８は、係止脚１０が背面側に突出する状態で保持構造１２に保持されている。保持構造１２は、化粧パネル３の背面に一体成形されている。
【００１７】
図７に示すように、支持ピン１３は、挿通部２５、大径部２３及び抜け止め構造２１を有する。図２に示すように、挿通部２５の長さ（図２のＬ１）は保持片１５と保持片１７との間隔（図２のＬ２）よりも長くなっており、保持片１５側から保持構造１２に横挿して保持構造１２に支持ピン１３を固定した場合、挿通部２５の先端は保持片１７から突出する。また、図７に示すように、支持ピン１３には、挿通部２５の先端から所定の位置に拡径方向に突出する抜け止め構造２１を設けている。保持片１７に設けた補強用のリブ２２はその高さを、挿通部２５の先端から抜け止め構造２１までの距離以上とすることで、逆向きでは支持ピン１３を保持構造１２に固定できない構造としている。
【００１８】
支持ピン１３が上記とは逆向き（保持片１７から保持片１５へ向けて横挿する向き）で保持構造１２に固定可能であって、その状態で本体１に化粧パネル３を取り付けると、本体側面２４に支持ピン１３の先端部が干渉し、化粧パネルが本体１に取り付けられない。このため、本実施の形態においては、補強用のリブ２２の同士の間隔を支持ピンの大径部２３の外形寸法よりも小さくすることで、組立時（出荷時）の誤取付を防ぐ。すなわち、リブ２２同士の間隔を支持ピン１３の大径部２３の外形寸法よりも小さくすることにより、内側から支持ピン１３を挿入した場合に、大径部２３が保持片１７に当接するまで支持ピン１３を押し込むことができないようにしている。
【００１９】
図８は、支持ピン１３を保持構造１２に取り付けた状態を示す図であり、図８（ａ）は支持ピン１３を正しい向きで取り付けた状態を示し、図８（ｂ）は支持ピン１３を逆向きに誤取付した状態を示す。図８中の一点鎖線Ａ−Ａは、本体１へ化粧パネル３を装着した状態での本体側面２４の位置を仮想的に示している。図８（ｂ）に示すように、支持ピン１３を逆向きで取り付けた場合には、リブ２２が大径部２３と当接し、大径部２３が保持片１７に当接するまで支持ピン１３を挿入することはできない。上記のように、保持片１７に設けた補強用のリブ２２の高さ（図８のＬ３）は、挿通部２５の先端から抜け止め構造２１までの距離（図８のＬ４）以上であるため、逆向きに誤取付した場合には抜け止め構造２１が保持片１５の外側に達することはない。したがって、支持ピン１３が逆向きで保持構造１２に固定されてしまうことは防止される。
【００２０】
なお、リブ２２の本数に関わらず、保持片１７の挿通穴１９ｂの中心からリブ２２のいずれかまでの距離が大径部２３の半径よりも小さければ、上記同様に、大径部２３が保持片１７に当接するまで支持ピン１３を押し込むことができない構造とすることができる。これにより、支持ピン１３を逆向きに誤取付した場合には、挿通部２５の先端が破線Ａ−Ａに届くことはない。すなわち、化粧パネル３を本体１へ取り付ける際に、挿通部２５の先端が本体１（本体内壁２４）に干渉することを防止できる。
【００２１】
また、図９のように、化粧パネル３には格子部７がスリット形状のものがあり、換気扇の本体１を取り付ける天井材の目地に合わせて化粧パネル３の取り付け方向を９０度回転させて意匠性を向上させることができる。このため、格子部７がスリット形状の化粧パネル３では、上記同様の保持構造１２が４方向に形成されており、それぞれ向かい合った保持構造１２を２ヶ所用いてトーションバネ８を組み付ける。保持構造１２は、対向する二ヶ所の中間点を回転中心として９０度回転させた位置で別の二つが対向するように形成される。このような構造とすることにより、製品出荷後に換気扇取付業者や使用者が化粧パネル３の向きを変えたい時に、トーションバネ８を保持構造１２から取り外して９０度回転方向に付け替える場合でも、支持ピン１３の誤取付を防ぐことができる。すなわち、換気扇を製品として出荷した後の支持ピン１３の誤取付を防止できる。
【００２２】
このように、本実施の形態では、内側の保持片１７に、変形や破損の防止を目的としたリブ２２を設けており、リブ２２同士の幅は支持ピン１３の大径部２３の外形寸法よりも狭くなっているため、内側から支持ピン１３を挿入した場合には、大径部２３が保持片１７に当接するまで支持ピン１３を押し込むことができない。したがって、内側から挿入した支持ピン１３を保持構造１２に確実に取り付けることができないようになっており、誤挿入が防止される。換気扇の製造段階においても支持ピン１３の誤取付が防止されるため、製造工程における組立不良が低減される。したがって、換気扇の生産効率を高めて、製造時の環境負荷を低減することができる。
【００２３】
なお、上記の説明においては、リブ２２と大径部２３との接触によって誤挿入を防止する構成を例としたが、内側の保持片１７側から保持構造１２に挿入した場合に保持構造１２に支持ピン１３を固定できないようにできる突起であればよく、必ずしもリブ状である必要はない。また、上記の説明においては、換気扇３０が吸い込んだ室内の空気をダクトを介して室外へ排気する装置である場合を例としたが、ダクトを介して室外から吸い込んだ空気を室内へ供給する装置であっても本発明は適用可能である。
【符号の説明】
【００２４】
１  本体
２  吸込口
２ａ  取付フランジ
３  化粧パネル
４  ダクト接続枠
５  送風機
６  接続部
７  格子部
８  トーションバネ
９  トーションリング部
１０  係止脚
１１  係止部
１２  保持構造
１３  支持ピン
１４  辺
１５、１７  保持片
１６  立ち上がり
１９ａ、１９ｂ  挿通穴
２１  抜け止め構造
２２  リブ
２３  大径部
２４  本体側面
２５  挿通部
３０  換気扇
【図１】
0005518011.tif 000002
【図２】
0005518011.tif 000003
【図３】
0005518011.tif 000004
【図４】
0005518011.tif 000005
【図５】
0005518011.tif 000006
【図６】
0005518011.tif 000007
【図７】
0005518011.tif 000008
【図８】
0005518011.tif 000009
【図９】
0005518011.tif 000010